(57)【要約】【課題】モードを自動的に切り替える温度測定装置及びそのモードを自動的に切り替える方法の提供。【解決手段】本発明のモードを自動的に切り替える温度測定装置及びそのモードを自動的に切り替える方法は、前記装置が、第１モードまたは第２モードに入る、或いは第１モードまたは第２モードから退出することを決定するコントロールユニットと、前記温度測定装置の電力を提供する電源供給ユニットと、前記電源供給ユニットを含み、かつ前記コントロールユニットに電気的に接続されて電力を提供する電源回路を含み、そのうち、前記電源回路が検出ユニットを含み、前記検出ユニットが前記電源供給ユニットと前記コントロールユニットに電気的に接続され、前記温度測定装置が静置状態から移動されたことを前記検出ユニットが検出すると、前記コントロールユニットがイネーブルになり、前記温度測定装置が前記第１モードから退出して前記第２モードに入ることを決定する。【選択図】図１
2018077225.tif 000002
【特許請求の範囲】
【請求項１】
モードを自動的に切り替える温度測定装置であって、
前記温度測定装置が第１モードまたは第２モードに入る、或いは第１モードまたは第２モードを退出することを決定するコントロールユニットと、
前記温度測定装置の電力を提供する電源供給ユニットと、
前記電源供給ユニットを含み、かつ前記コントロールユニットに電気的に接続されて電力を供給する電源回路を含み、そのうち、前記電源回路が検出ユニットを含み、前記温度測定装置が静置状態から揺動されたことを前記検出ユニットが検出すると、前記コントロールユニットがイネーブルになり、前記温度測定装置が前記第１モードから退出して前記第２モードに入ることを決定する、ことを特徴とする、モードを自動的に切り替える温度測定装置。
【請求項２】
前記検出ユニットが検出する前記温度測定装置の揺動状態が、前記コントロールユニットのピンの電位変化に関連付けられ、前記コントロールユニットに前記温度測定装置が前記第１モードを退出して前記第２モードに入ることを決定させることを特徴とする、請求項１に記載のモードを自動的に切り替える温度測定装置。
【請求項３】
前記電源回路がトランジスタを含み、前記トランジスタのコレクタが抵抗を介して動作電圧に接続され、かつ前記ピンに接続され、前記トランジスタのエミッタが前記コントロールユニットの接地に接続され、前記トランジスタのベースが第１抵抗を介して前記動作電圧に接続され、かつ第２抵抗を介して前記接地に接続され、前記トランジスタのベースとエミッタの間にコンデンサが接続され、前記検出ユニットと第３抵抗の直列接続を並列接続することを特徴とする、請求項２に記載のモードを自動的に切り替える温度測定装置。
【請求項４】
前記検出ユニットが全位相ボールスイッチ、重力センサー、または水銀スイッチであることを特徴とする、請求項１乃至３のいずれかに記載のモードを自動的に切り替える温度測定装置。
【請求項５】
前記第１抵抗、第２抵抗、第３抵抗及び前記コンデンサが前記検出ユニットが揺動状態を検出する敏感度の調整に用いられることを特徴とする、請求項３に記載のモードを自動的に切り替える温度測定装置。
【請求項６】
前記温度測定装置が前記第１モードを退出し、かつ前記第２モードに入った後、前記検出ユニットが前記温度測定装置の揺動状態を検出し、前記コントロールユニットに前記温度測定装置を前記第２モードに保持させることを特徴とする、請求項１に記載のモードを自動的に切り替える温度測定装置。
【請求項７】
温度測定装置が第１モードまたは第２モードに入る、或いは第１モードまたは第２モードを退出する動作に適用される、モードを自動的に切り替える方法であって、
前記温度測定装置内に検出ユニットを提供する工程と、
前記検出ユニットを利用して前記温度測定装置が静置状態から揺動されたことが検出されると、前記温度測定装置に前記第１モードを退出させて前記第２モードに入らせる工程と、
を含むことを特徴とする、モードを自動的に切り替える方法。
【請求項８】
温度測定装置が第１モードまたは第２モードに入る、或いは第１モードまたは第２モードを退出する動作に適用される、モードを自動的に切り替える方法であって、
前記温度測定装置内に検出ユニットを提供し、前記検出ユニットが検出する前記温度測定装置の揺動状態をコントロールユニットのピンの電位変化に関連付ける工程と、
前記コントロールユニットが前記ピンの電位変化に基づき、前記温度測定装置に前記第１モードを退出させるか否か、または前記第２モードを保持させるかを決定する工程と、
を含むことを特徴とする、モードを自動的に切り替える方法。
【請求項９】
前記検出ユニットが全位相ボールスイッチ、重力センサーまたは水銀スイッチであることを特徴とする、請求項７または８に記載のモードを自動的に切り替える方法。
【請求項１０】
さらに、前記温度測定装置が前記第１モードを退出し、かつ前記第２モードに入った後、前記検出ユニットが前記温度測定装置の揺動状態を検出し、前記温度測定装置に前記第２モードを保持させることを特徴とする、請求項７または８に記載のモードを自動的に切り替える方法。
【発明の詳細な説明】
【技術分野】
【０００１】
本発明は温度測定装置の起動操作に関し、より明確には、本発明はモードを自動的に切り替える温度測定装置及びそのモードを自動的に切り替える方法に関する。
【背景技術】
【０００２】
電子体温計は人体の体温を素早く正確に測定できるため、すでに旧来の水銀温度計に取って代わり一般家庭で使用されている。先行技術によれば、電子体温計の起動設計は機械式スイッチにより実行され、使用者が人為的にこの電源スイッチを操作して、ＯＦＦの位置から指でＯＮの位置にする、または電源スイッチを一定時間押し続けると、電子体温計が起動プロセスに入る。起動プロセスが完了すると、使用者は電子体温計の測定機能を使用することができる。このほか、電子体温計の停止設計は使用者が人為的にスイッチを操作してＯＮの位置から指でＯＦＦの位置にする、またはスタンバイ状態下で一定時間カウントした後自動的にオフになる。
【０００３】
使用者による電子体温計の操作方法を改善し、使用者が電子体温計を静止状態から持ち上げる、または移動させると、電子体温計が自動的に起動プロセスに入ることができれば、使用者が再度人為的な操作で起動する必要がなく、電子体温計の操作体験を向上することができる。
【発明の概要】
【発明が解決しようとする課題】
【０００４】
本発明の主な目的は、温度測定装置が静置状態から移動されたことを検出ユニットが検出すると、前記温度測定装置がイネーブルになり、起動プロセスが自動的に開始され、使用者の操作体験を向上した、モードを自動的に切り替える温度測定装置及びそのモードを自動的に切り替える方法を提供することにある。
【０００５】
本発明の主な目的は、温度測定装置が静置状態にあることを検出ユニットが検出すると、前記温度測定装置がイネーブルになり、電源オフのプロセスが開始され、スタンバイ状態下での自動電源オフまでの時間を短縮した、モードを自動的に切り替える温度測定装置及びそのモードを自動的に切り替える方法を提供することにある。
【課題を解決するための手段】
【０００６】
上述の本発明の目的を達するため、本発明の提供するモードを自動的に切り替える温度測定装置は、前記温度測定装置が第１モードまたは第２モードに入る、或いは第１モードまたは第２モードから退出することを決定するコントロールユニットと、前記温度測定装置の電力を提供する電源供給ユニットと、前記電源供給ユニットを含み、かつ前記コントロールユニットに電気的に接続されて電力を提供する電源回路を含み、そのうち、前記電源回路が検出ユニットを含み、前記検出ユニットが前記電源供給ユニットと前記コントロールユニットに電気的に接続され、前記温度測定装置が静置状態から移動されたことを前記検出ユニットが検出すると、前記コントロールユニットがイネーブルになり、前記温度測定装置が前記第１モードから退出して前記第２モードに入ることを決定し、前記温度測定装置が静置状態にあることを前記検出ユニットが検出すると、前記コントロールユニットがイネーブルになり、前記温度測定装置が前記第１モードに入ることを決定することを特徴とする。
【０００７】
上述の本発明の目的を達するため、本発明の提供するモードを自動的に切り替える方法は、温度測定装置が第１モードまたは第２モードに入る、或いは第１モードまたは第２モードから退出する動作に適用され、前記温度測定装置内に、電源供給ユニットとコントロールユニットに電気的に接続された検出ユニットを設置する工程と、前記検出ユニットを利用して、前記温度測定装置が静置状態から移動されたことを検出したとき、前記コントロールユニットがイネーブルになり、前記温度測定装置が前記第１モードから退出して前記第２モードに入ることを決定する、及び、前記検出ユニットを利用して、前記温度測定装置が静置状態にあることを検出したとき、前記コントロールユニットがイネーブルになり、前記温度測定装置が前記第１モードに入ることを決定する工程を含む。
【０００８】
本発明のモードを自動的に切り替える温度測定装置とモードを自動的に切り替える方法によれば、前記第１モードは自動検出モード、またはスタンバイ状態下で自動的にオフになる状態であり、前記第２モードはスタンバイ状態または温度測定モード、或いは起動プロセス後の状態である。
【０００９】
本発明のモードを自動的に切り替える温度測定装置とモードを自動的に切り替える方法によれば、検出ユニットはケース表面から突出され、操作可能な押圧スイッチ、重力センサー（Ｇ−ｓｅｎｓｏｒ）、ボールスイッチ、水銀スイッチ、または光センサーで実現することができる。
【発明の効果】
【００１０】
本発明により実施される温度測定装置とモードを自動的に切り替える方法によれば、使用者は本発明の温度測定装置（例えば、額用体温計、または耳式体温計）の操作において、「静止状態から持ち上げたとき自動的に起動されて作動する」または「静止状態から持ち上げたとき自動的に測定モードがオンになる」操作体験を得ることができ、毎回の使用時に平均で約３〜５秒を費やして「装置がオンになっているか否か」または「すでに測定可能な状態になっているか」を確認する時間を減少するとともに、オフにする際のカウントダウン時間を短縮して直接自動的にオフにすることで、電源供給ユニットの省エネ効果を達成することができる。
【図面の簡単な説明】
【００１１】
【図１】本発明モードを自動的に切り替える温度測定装置のブロック図である。
【図２】本発明の温度測定装置の正面図、立体図、側面図である。
【図３】本発明の温度測定装置のモード自動切り替えフローチャートである。
【図４】本発明の温度測定装置の電源回路の回路図である。
【図５Ａ】本発明の別の温度測定装置のモード自動切り替えフローチャートである。
【図５Ｂ】本発明の別の温度測定装置のモード自動切り替えフローチャートである。
【図６】本発明のさらに別の温度測定装置のモード自動切り替えフローチャートである。
【発明を実施するための形態】
【実施例１】
【００１２】
図１に本発明モードを自動的に切り替える温度測定装置のブロック図を示す。本発明の実施例において、モードを自動的に切り替える温度測定装置１０は、コントロールユニット（ＭＣＵ）１１と、通信ポート１８と、メモリ（ＥＥＰＲＯＭ）１７と、デジタル近接センサー１４と、サーモパイル型温度センサー１５と、機能ボタン１３と、ブザー１６と、ＬＣＤディスプレイ１２と、電源回路２０を含み、前記コントロールユニット１１は前記温度測定装置１０が第１モードまたは第２モードに入る、或いは第１モードまたは第２モードから退出することを決定し、かつ図１に示すその他ブロックと電気的に接続され、かつ記温度測定装置１０の温度検出機能を実行する。前記通信ポート１８は外部設定された校正パラメータとプログラムを受信する。前記メモリ（ＥＥＰＲＯＭ）１７は、校正パラメータとプログラムを保存し、前記コントロールユニット１１によるアクセスと使用に提供する。前記デジタル近接センサー１４と前記サーモパイル型温度センサー１５は、人体に関する測定データを検出し、前記コントロールユニット１１による人体の耳温度または額温度の計算に提供する。前記機能ボタン１３は、前記コントロールユニット１１をトリガーし、図３、図５Ａ、５Ｂ及び図６に示すように、温度演算処理工程と測定データ表示工程を実行する。前記ブザー１６は、前記機能ボタン１３により前記コントロールユニット１１がトリガーされると、前記コントロールユニット１１による制御で警報音を発生する。前記ＬＣＤディスプレイ１２は、前記コントロールユニット１１が計算した人体の耳温度または額温度を表示する。前記電源回路２０は、前記コントロールユニット１１に電気的に接続されて電力を供給し、かつ前記コントロールユニット１１を介して動作状態下で図１に示すその他のブロックに電力を供給する。前記電源回路２０は、電源供給ユニット（図示しない）と検出ユニット２１を含み、そのうち、前記電源供給ユニットは電池、充電池、太陽電池またはその他給電ユニットとすることができる。以下、電源供給ユニットは電池を例として説明する。前記検出ユニット２１は前記電池と前記コントロールユニット１１に電気的に接続され、かつ前記検出ユニット２１は前記温度測定装置１０が静置状態から移動されたことを検出すると、前記コントロールユニット１１がイネーブルになり、前記温度測定装置１０が前記第１モードから退出して前記第２モードに入ることを決定し、かつ前記検出ユニット２１は前記温度測定装置１０が静置状態にあることを検出すると、前記コントロールユニット１１がイネーブルになり、前記温度測定装置１０が前記第１モードに入ることを決定する。
【００１３】
本発明の実施例において、電源回路２０は電池、コントロールユニット１１、検出ユニット２１間の給電回路を定義する。検出ユニット２１の検出状態により、コントロールユニット１１がイネーブル（Ｅｎａｂｌｅ）になって動作状態に入る、またはコントロールユニット１１がイネーブルになってプログラムを実行し、起動プロセスの設定を完了する。検出ユニット２１の検出状態に基づき、コントロールユニット１１により前記温度測定装置１０を第１モードまたは第２モードに入らせる、或いは第１モードまたは第２モードから退出させる。本発明の複数の実施例において、前記検出ユニット２１はケース表面から突出され、操作可能な押圧スイッチ、重力センサー（Ｇ−ｓｅｎｓｏｒ）、ボールスイッチ、水銀スイッチまたは光センサー等、異なるユニットで実現することができる。そのうち、検出ユニット２１が異なるユニットで実現されることで前記温度測定装置１０の第１モードまたは第２モードにも違いがある。本発明の異なる実施例において、検出ユニット２１には異なるユニットが使用され、前記温度測定装置１０の第１モードは自動検出モードまたはスタンバイ状態下で自動的にオフにされた後の状態とすることができ、前記温度測定装置１０の第２モードはスタンバイ状態または温度測定モードまたは起動プロセス後の状態とすることができる。
【００１４】
本発明の一実施例において、前記電源回路２０の電池は前記コントロールユニット１１と前記メモリ１７に直接給電し、検出ユニット２１が前記コントロールユニット１１のピンに電気的に接続され、前記検出ユニット２１の検出状態によって前記ピンの電位が決定される。この一実施例において、温度測定装置１０の第１モードは自動検出モードであり、自動検出モードでは、前記コントロールユニット１１が給電を受けて動作中、メモリ１７に保存されたプログラムを実行して前記ピンの電位を判断する。前記検出ユニット２１によって前記温度測定装置１０が継続して静置状態にあることが検出され、かつ前記ピンが低電位（Ｌ）のとき、前記コントロールユニット１１は前記ピンの電位が変化したか否かを継続して判断し、前記検出ユニット２１により前記温度測定装置１０が静置状態から移動された、または持ち上げられたことが検出され、かつ前記ピンが高電位に変わると、前記コントロールユニット１１がプログラムに基づいて起動プロセスを実行し、前記温度測定装置１０の初期設定を行う。このため、前記検出ユニット２１が前記コントロールユニット１１に前記温度測定装置１０が前記自動検出モードから退出し、かつ前記起動プロセスまたはスタンバイ状態或いは温度測定モードに入ることを決定させる。このほか、前記温度測定装置１０が静置状態にあり、誤って移動されたものの、使用者は前記温度測定装置１０を持ち上げていない場合、前記コントロールユニット１１が前記ピンの電位状態を判断してこの誤動作を排除できる。例えば、前記ピンの電位がＬからＨになり、すぐにまたＨからＬになった場合、コントロールユニット１１は起動プロセスを実行せずに自動検出モード（第１モード）から退出する。
【００１５】
先行技術によれば、従来の温度測定装置はスタンバイ状態下でオフ時間カウントが起動され、一定時間後自動的にオフになる。本発明の上述の実施例において、前記コントロールユニット１１がスタンバイ状態下でオフ時間カウントを起動している期間に、前記検出ユニット２１により前記温度測定装置１０が静置状態にあることが検出され、かつ前記ピンが低電位（Ｌ）のとき、前記コントロールユニット１１はカウント時間を待つ必要なく、直接オフにして先行技術の自動電源オフ時間を短縮でき、また電池のエネルギーを節約することもできる。
【００１６】
図２に本発明の温度測定装置の正面図、立体図、側面図を示す。本発明のこの一実施例において、本発明の温度測定装置１０はケース１９を含み、前記ケース１９内に図１に示すすべてのブロックが配置される。そのうち、電源回路２０の検出ユニット２１はケース表面から突出され、操作可能な押圧スイッチで実現される。前記ケース１９は図２に示す輪郭の設計に、ケース１９内に設置された電池が提供する重力を組み合わせ、前記温度測定装置１０を平面Ｌに置いたとき、置いた時の姿勢がどうであっても、前記ケース１９の輪郭設計によっておきあがりこぼしのようになり、前記ケース１９は常に予め定めた底部が前記平面Ｌに接触するように維持される。検出ユニット２１とされる押圧スイッチは、前記ケース１９の予め定めた底部に設置され、前記押圧スイッチの凸部が前記予め定めた底部の表面に突出される。このため、図２に示すように、前記温度測定装置１０を平面Ｌに置いたとき、前記ケース１９の底部が前記平面Ｌに接触し、前記押圧スイッチの凸部に作用して、前記押圧スイッチが押圧される。前記温度測定装置１０が前記平面Ｌから持ち上げられると、前記ケース１９の底部が前記平面Ｌを離れ、前記押圧スイッチの凸部に作用しなくなり、前記押圧スイッチが押圧されなくなる。このほか、前記押圧スイッチの設置位置は、ケース１９の予め定めた底部の、使用者が前記温度測定装置１０を操作するとき握持する部位を回避し、温度測定時に前記押圧スイッチが押圧されて誤動作を生じることを回避することが望ましい。
【００１７】
本発明のこの一実施例において、電源回路２０では前記押圧スイッチを電池とコントロールユニット１１の間の給電経路に配置し、前記押圧スイッチが押圧されると、前記コントロールユニット１１がオフの状態になり、前記押圧スイッチが押圧状態から押圧のない状態になると、前記コントロールユニット１１が給電を受けて動作状態になり、起動プロセスを実行してスタンバイ状態になる。本発明の別の実施例において、電源回路２０は少なくとも２つの押圧スイッチを検出ユニット２１とし、前記温度測定装置１０の異なる配置姿勢に対応して前記押圧スイッチが押圧される機会を高め、かつ電源回路２０中の前記２つの押圧スイッチは直列接続される。前記温度測定装置１０を非平面の位置に置いた時、いずれかの押圧スイッチが押圧されれば、前記コントロールユニット１１をオフ状態に入らせることができる。本発明のさらに別の実施例において、前記ケース１９は可動的な凸部機構を備え、例えば図２に示すようにケース表面に突出した機構であり、前記凸部機構が押圧されると、前記凸部機構が前記ケース１９内の電源回路２０の少なくとも１つの押圧スイッチを作動させ、前述の実施例における本発明の目的を達することができる。
【００１８】
図３に本発明の温度測定装置のモード自動切り替えフローチャートを示す。本発明のこの一実施例において、本発明の温度測定装置１０はケース１９を含み、図２に示すように、前記ケース１９内に図１に示すすべてのブロックが配置される。そのうち、電源回路２０の検出ユニット２１はケース表面から突出され、操作可能な押圧スイッチで実現される。本発明のモードを自動的に切り替える方法１００は、温度測定装置１０が第１モードまたは第２モードに入る、或いは第１モードまたは第２モードを退出する動作に適用され、次の工程を含む。工程１０１：押圧検出では、第１モード下で、前記電源回路２０の押圧スイッチが押圧されたか否かを判断し、前記温度測定装置１０が第１モードから退出するか否かを決定する。前記温度測定装置１０を平面に置いたとき、置いた時の姿勢がどうであっても、前記ケース１９の輪郭設計によっておきあがりこぼしのようになり、前記ケース１９の底部が前記平面に接触して前記押圧スイッチが押圧されるため、温度測定装置１０が継続して第１モード（例えば電源オフ状態または自動検出モード）が維持される。前記ケース１９の底部が前記平面を離れて前記押圧スイッチが押圧されなくなると、電源回路２０がコントロールユニット１１に給電してイネーブルにし、動作状態に入らせる。異なる実施例においては、前記温度測定装置１０が箱体内に配置され、箱体の蓋を閉じると前記押圧スイッチが押圧される。そのうち、前記蓋の内側表面が前記押圧スイッチに接触する接触面となる。箱体の蓋が開かれて接触面が前記押圧スイッチを押圧しなくなると、電源回路２０がコントロールユニット１１に給電指定ネーブルにし、動作状態に入らせる。工程２：起動プロセスでは、コントロールユニット１１が給電を受けて動作状態に入り、メモリ１７のプログラムを読み取って起動プロセスを実行し、温度測定装置１０に対して初期設定（前記コントロールユニット１１による図１に示すその他ブロックへの給電を含む）を行った後、前記温度測定装置１０が第２モード（例えばスタンバイ状態または温度測定モード）に入る。
【００１９】
続いて図３を参照する。工程１０３：機能ボタン検出では、第２モード下で、機能ボタン１３が押圧されたか否かを判断する。機能ボタン１３が押圧された場合、コントロールユニット１１が工程１０４の温度演算処理を実行し、機能ボタン１３が押圧されていない場合、コントロールユニット１１が工程１０６のオフ時間カウントを実行する。本発明の別の一実施例において、機能ボタン１３は温度測定機能をトリガーするほか、電源オフ機能を兼ね備え、機能ボタン１３が一定時間継続して押圧されると、すぐにオフ状態に入る。工程１０４：温度演算処理では、コントロールユニット１１がデジタル近接センサー１４とサーモパイル型温度センサー１５をイネーブルにして人体に関する測定データを測定させ、人体の耳温度または額温度を計算する。その後、コントロールユニット１１が工程１０５の測定データ表示を実行する。工程１０５：測定データ表示では、コントロールユニット１１が人体の耳温度または額温度を計算してデータをＬＣＤディスプレイ１２に表示し、第２モード下に戻り、継続して工程１０３を実行する。工程１０６：オフ時間カウントでは、温度測定装置１０が第２モード下にあり、かつ前記機能ボタン１３が押圧されていないとき、コントロールユニット１１がオフ時間カウントを開始し、かつ工程１０７のオフ時間判断を実行する。工程１０７：オフ時間判断では、コントロールユニット１１がオフ時間カウントの結果がまだオフ時間に達していないと判断すると、第２モード下に戻り、継続して工程１０３を実行し、オフ時間カウント結果がオフ時間に達したと判断されると、コントロールユニット１１は前記温度測定装置１０が第１モードに入ることを決定し、工程１０１を実行する。
【００２０】
図４に本発明の温度測定装置の電源回路２０の回路図を示す。本発明のこの一実施例において、電源回路２０は全位相ボールスイッチを検出ユニット２１として使用する。前記全位相ボールスイッチは２つの電気接点を備え、その特性はボールスイッチの静止時、２つの電気接点１、２は導通状態にあり、ボールスイッチが持ち上げられると、２つの電気接点１、２が一時的に開路となる。電源回路２０はＲＣ回路を含み、前記ＲＣ回路は抵抗Ｒ１、Ｒ２、Ｒ３とコンデンサＣを含み、図に示すような接続関係を成す。前記全位相ボールスイッチとＲＣ回路の組み合わせでループを形成し、そのうち、ＲＣ回路の抵抗Ｒ１、Ｒ２、Ｒ３とコンデンサＣ等のパラメータはボールスイッチ信号の敏感度を調整することができる。ボールスイッチが静止状態のとき、ボールスイッチの２つの電気接点１、２は短絡導通状態であり、その電気接点１のレベルは抵抗Ｒ２、Ｒ３の並列接続と抵抗Ｒ１の分圧により決定され、分圧が高いほどトランジスタＱの導通がトリガーされやすくなり、即ち敏感度が高くなる。抵抗Ｒ１、コンデンサＣの値が大きいほど、ボールスイッチの揺動時、その電気接点１の電圧上昇時間が遅くなり、トランジスタＱの導通がトリガーされにくくなって、敏感度が低くなる。トランジスタＱが導通されると、コントロールユニット１１がイネーブルになり、起動プロセスを実行し、スタンバイ状態または温度測定モードに入る。このほか、電源回路２０はトランジスタＱをバッファとして使用し、コントロールユニット１１をオフ状態にさせ、スタンバイの消費電力が大きくなりすぎないようにすることができる。
【００２１】
本発明の異なる実施例において、図４に示すように、電源回路２０の検出ユニット２１は重力センサーまたは水銀スイッチを選択して使用してもよく、前述の実施例における本発明の目的を達成することができる。
【実施例２】
【００２２】
図５Ａと図５Ｂに、本発明の別の温度測定装置のモード自動切り替えフローチャートを示す。本発明のこの一実施例において、本発明の温度測定装置１０はケース１９を含み、前記ケース１９内に図１に示すすべてのブロックが配置される。そのうち、電源回路２０の検出ユニット２１は全位相ボールスイッチ、重力センサーまたは水銀スイッチを選択して実現できる。そのうち、前記検出ユニット２１が検出する揺動状態が前記コントロールユニット１１のピンの電位変化に関連付けられ、かつ前記コントロールユニット１１が給電を受け、動作するとき電位の変化を検出して判断する。この一実施例の温度測定装置１０のモード自動切り替えは、図５Ａに示す方法２００と、図５Ｂに示す方法２１０を使用することができ、両者の違いは工程の順序のみにあり、当業者であれば容易に連想し、簡単に完成することが可能であろう。そのうち、図５Ａに示す方法２００は、温度測定装置１０が揺動されて第１モードを退出した後、スタンバイ状態の第２モード（またはスタンバイモードという）に入る。図５Ｂに示す方法２１０は、温度測定装置１０が揺動されて第１モードを退出した後、温度を測定する第２モード（または温度測定モードという）に入る。
【００２３】
図５Ａに示すように、本発明のモードを自動的に切り替える方法２００は、温度測定装置１０が第１モードまたは第２モードに入る、または第１モードまたは第２モードを退出する動作に適用され、以下の工程を含む。工程２０１：揺動検出では、第１モード下で、自動モード検出のように、前記コントロールユニット１１が前記検出ユニット２１に関連付けられたピンの電位変化を判断して前記温度測定装置１０が第１モードを退出したか否かを決定する。前記温度測定装置１０が平面に静置されているとき、前記検出ユニット２１が揺動なしを検出し、前記コントロールユニット１１にピンが固定電位（例えば低電位）であることを検出させるため、温度測定装置１０が継続して第１モードに維持され、前記温度測定装置１０が移動または持ち上げられると、前記検出ユニット２１が揺動を検出し、前記コントロールユニット１１にピン電位の変化を検出させ、これに基づき動作状態に入り、第１モードを退出することを決定させる。工程２０２：起動プロセスでは、前記コントロールユニット１１がメモリ１７のプログラムに基づき起動プロセスを実行し、温度測定装置１０に対して初期設定（前記コントロールユニット１１による図１に示すその他ブロックへの給電を含む）を行った後、前記温度測定装置１０が第２モード（例えばスタンバイ状態または温度測定モード）に入る。
【００２４】
本発明のこの一実施例において、第２モード下で、前記検出ユニット２１が検出する揺動状態が前記コントロールユニット１１のピンの電位変化に関連付けられることにより、温度測定装置１０をトリガーして温度測定を行い、表示させることができる。工程２０３：揺動検出では、第２モード下で、前記コントロールユニット１１がピンの電位変化を検出して前記検出ユニット２１が揺動を検出したか否かを判断する。揺動がある場合、コントロールユニット１１が工程２０４の温度演算処理を実行し、揺動がない場合、コントロールユニット１１が工程２０６のオフ時間カウントを実行する。本発明の別の一実施例において、第２モード下で、工程２０３は前記コントロールユニット１１により機能ボタン１３が押圧されたか否かを判断することができる。機能ボタン１３が押圧された場合、コントロールユニット１１が工程２０４の温度演算処理を実行し、機能ボタン１３が押圧されていない場合、コントロールユニット１１が工程２０６のオフ時間カウントを実行する。機能ボタン１３は温度測定機能をトリガーするほか、電源オフ機能を兼ね備えている。
【００２５】
続いて図５Ａに示すフローチャートを参照する。本発明のこの一実施例において、工程２０４は温度演算処理であり、コントロールユニット１１がデジタル近接センサー１４とサーモパイル型温度センサー１５をイネーブルにして人体に関する測定データを測定させ、人体の耳温度または額温度を計算する。その後、コントロールユニット１１が工程２０５の測定データ表示を実行する。工程２０５：測定データ表示では、コントロールユニット１１が人体の耳温度または額温度を計算してデータをＬＣＤディスプレイ１２に表示し、第２モード下に戻り、継続して工程２０３を実行する。工程２０６：オフ時間カウントでは、温度測定装置１０が第２モード下にあり、かつ前記検出ユニット２１が揺動なしを検出すると、コントロールユニット１１がオフ時間カウントを開始し、かつ工程２０７のオフ時間判断を実行する。工程２０７：オフ時間判断では、コントロールユニット１１がオフ時間カウントの結果がまだオフ時間に達していないと判断すると、第２モード下に戻り、継続して工程２０３を実行し、オフ時間カウント結果がオフ時間に達したと判断されると、コントロールユニット１１は前記温度測定装置１０が第１モードに入ることを決定し、工程２０１を実行する。
【００２６】
図５Ｂに示すように、本発明のモードを自動的に切り替える方法２１０と、図５Ａの方法２００の違いは、工程の順序にあり、同じ工程番号２０１、２０２、…は同じ内容を実行する。このため、本発明のモードを自動的に切り替える方法２１０は温度測定装置１０が揺動されて第１モードを退出した後、温度を測定する第２モード（または測定モードという）に入り、工程２０４、２０５を実行する。再度温度を測定する、または第２モードに入る場合、使用者は温度測定装置１０を再度揺動させることができる。温度測定装置１０が静置されると、工程２０６、２０７を経て第１モードに戻る。
【実施例３】
【００２７】
図６に本発明の温度測定装置の別のモード自動切り替えフローチャートを示す。本発明のこの一実施例において、本発明の温度測定装置１０はケース１９を含み、前記ケース１９内に図１に示すすべてのブロックが配置される。そのうち、電源回路２０の検出ユニット２１は光センサーを選択して実現できる。前記ケース１９は図２に示す輪郭の設計に、ケース１９内に設置された電池が提供する重力を組み合わせ、前記温度測定装置１０を平面Ｌに置いたとき、置いた時の姿勢がどうであっても、前記ケース１９の輪郭設計によっておきあがりこぼしのようになり、前記ケース１９は常に予め定めた底部が前記平面Ｌに接触するように維持される。検出ユニット２１とする光センサーは、前記ケース１９の予め定めた底部に設置され、前記温度測定装置１０が静置状態にあるとき、ケース１９の底部が下向きになり、光センサーが遮蔽されるように保持される。前記温度測定装置１０が前記平面Ｌから持ち上げられると、前記ケース１９の底部が前記平面Ｌを離れ、前記光センサーが遮蔽されなくなる。このほか、電源回路２０において、前記検出ユニット２１が検出する光の遮蔽状態が前記コントロールユニット１１のピンの電位変化に関連付けられ、かつ前記コントロールユニット１１が給電され、動作しているとき電位の変化を検出して判断する。
【００２８】
本発明のこの一実施例において、本発明のモードを自動的に切り替える方法３００は、温度測定装置１０が第１モードまたは第２モードに入る、または第１モードまたは第２モードを退出する動作に適用され、以下の工程を含む。工程３０１：遮蔽検出では、第１モード下で、自動モード検出のように、前記コントロールユニット１１が前記検出ユニット２１に関連付けられたピンの電位変化を判断して前記温度測定装置１０が第１モードを退出したか否かを決定する。前記温度測定装置１０が平面に静置されているとき、前記検出ユニット２１が光の遮蔽を検出し、前記コントロールユニット１１にピンが固定電位（例えば低電位）であることを検出させるため、温度測定装置１０が継続して第１モードに維持され、前記温度測定装置１０が移動または持ち上げられると、前記検出ユニット２１が光の未遮蔽を検出し、前記コントロールユニット１１にピン電位の変化を検出させ、これに基づき動作状態に入り、第１モードを退出することを決定させる。工程３０２：起動プロセスでは、前記コントロールユニット１１がメモリ１７のプログラムに基づき起動プロセスを実行し、温度測定装置１０に対して初期設定（前記コントロールユニット１１による図１に示すその他ブロックへの給電を含む）を行った後、前記温度測定装置１０が第２モード（例えばスタンバイ状態または温度測定モード）に入る。
【００２９】
続いて図６を参照する。工程３０３：機能ボタン検出では、第２モード下で、機能ボタン１３が押圧されたか否かを判断する。機能ボタン１３が押圧された場合、コントロールユニット１１が工程３０４の温度演算処理を実行し、機能ボタン１３が押圧されていない場合、コントロールユニット１１が工程３０６のオフ時間カウントを実行する。本発明の別の一実施例において、機能ボタン１３は温度測定機能をトリガーするほか、電源オフ機能を兼ね備え、機能ボタン１３が一定時間継続して押圧されると、すぐにオフ状態に入る。工程３０４：温度演算処理では、コントロールユニット１１がデジタル近接センサー１４とサーモパイル型温度センサー１５をイネーブルにして人体に関する測定データを測定させ、人体の耳温度または額温度を計算する。その後、コントロールユニット１１が工程３０５の測定データ表示を実行する。工程３０５：測定データ表示では、コントロールユニット１１が人体の耳温度または額温度を計算してデータをＬＣＤディスプレイ１２に表示し、第２モード下に戻り、継続して工程３０３を実行する。工程３０６：オフ時間カウントでは、温度測定装置１０が第２モード下にあり、かつ前記機能ボタン１３が押圧されていないとき、コントロールユニット１１がオフ時間カウントを開始し、かつ工程３０７のオフ時間判断を実行する。工程３０７：オフ時間判断では、コントロールユニット１１がオフ時間カウントの結果がまだオフ時間に達していないと判断すると、第２モード下に戻り、継続して工程３０３を実行し、オフ時間カウント結果がオフ時間に達したと判断されると、コントロールユニット１１は前記温度測定装置１０が第１モードに入ることを決定し、工程３０１を実行する。
【００３０】
このほか、図５Ａによれば、第２モードにおいて、工程２０３の判断は「揺動検出」と表示されているが、当業者であれば図３と図６に示す第２モードにおいて、工程１０３、２０３の判断を「機能ボタン検出」から「揺動検出」に置き換えることを容易に連想して完成することができる。また、図５Ｂによれば、第２モードで温度演算処理と測定データ表示を実行した後に判断工程を行うが、当業者であれば図３と図６に示す第２モードで温度演算処理と測定データ表示を実行した後に判断工程を行うことは容易に連想でき、かつ完成することができるであろう。
【符号の説明】
【００３１】
１０  温度測定装置
１１  コントロールユニット（ＭＣＵ）
１２  ＬＣＤディスプレイ
１３  機能ボタン
１４  デジタル近接センサー
１５  サーモパイル型温度センサー
１６  ブザー
１７  メモリ（ＥＥＰＲＯＭ）
１８  通信ポート
１９  ケース
２０  電源回路
２１  検出ユニット
１００、２００、３００  モードを自動的に切り替える方法
１０１、１０２、１０３、１０４、１０５、１０６、２０１、２０２、２０３、２０４、２０５、２０６、２０７、３０１、３０２、３０３、３０４、３０５、３０６、３０７  工程
【図１】
2018077225.tif 000003
【図２】
2018077225.tif 000004
【図３】
2018077225.tif 000005
【図４】
2018077225.tif 000006
【図５Ａ】
2018077225.tif 000007
【図５Ｂ】
2018077225.tif 000008
【図６】
2018077225.tif 000009